(57)【特許請求の範囲】
【請求項１】
画像データの入力を制御する入力制御手段と、
前記画像データの画像ポイントを算出する画像ポイント算出手段と、
前記画像ポイント算出手段により算出された前記画像ポイントの高い画像データを抽出して画像リストを作成する画像リスト作成手段と、
前記画像データおよび前記画像リストをページにレイアウトするレイアウト手段と、
前記画像リスト中の画像データから人物の顔を認識し、人物画像リストを作成する人物画像リスト作成手段と、
前記人物画像リスト中の人物画像データの、前記ページ上の前記画像データにおける露出ポイントを算出する露出ポイント算出手段と、
前記レイアウト手段によりレイアウトされた前記ページ上に、前記人物画像リストおよび前記露出ポイントを配置し、その表示を制御する表示制御手段と、
を備えることを特徴とする画像出力受付端末。
【請求項２】
前記画像ポイントは、少なくとも、領域ポイントおよび写真ポイントであり、
前記露出ポイント算出手段は、前記領域ポイントおよび写真ポイントに所定係数を掛けて、前記露出ポイントを算出する
ことを特徴とする請求項１に記載の画像出力受付端末。
【請求項３】
前記露出ポイント算出手段は、フォトブックを編集する際に、前記フォトブックの全ページ上の前記画像データにおける露出ポイント、および、前記フォトブックにおいて前記表示制御手段により表示される編集中のページ上の前記画像データにおける露出ポイントを算出し、
前記表示制御手段は、前記全ページ上の前記画像データにおける露出ポイント、および、編集中のページ上の前記画像データにおける露出ポイントの表示を制御する
ことを特徴とする請求項１に記載の画像出力受付端末。
【請求項４】
前記表示制御手段は、人物毎の露出ポイント確認のための個別ポイント確認画面、および、露出度設定のための露出度設定画面の表示をさらに制御する
ことを特徴とする請求項１に記載の画像出力受付端末。
【請求項５】
前記露出度設定画面において自動調整指示の選択を検知し、選択された人物画像データの露出ポイントを調整する露出ポイント調整手段をさらに備える
ことを特徴とする請求項４に記載の画像出力受付端末。
【請求項６】
画像データの入力を制御する入力制御ステップと、
前記画像データの画像ポイントを算出する画像ポイント算出ステップと、
前記画像ポイント算出ステップで算出された前記画像ポイントの高い画像データを抽出して画像リストを作成する画像リスト作成ステップと、
前記画像データおよび前記画像リストをページにレイアウトするレイアウトステップと、
前記画像リスト中の画像データから人物の顔を認識し、人物画像リストを作成する人物画像リスト作成ステップと、
前記人物画像リスト中の人物画像データの、前記ページ上の前記画像データにおける露出ポイントを算出する露出ポイント算出ステップと、
前記レイアウトステップでレイアウトされた前記ページ上に、前記人物画像リストおよび前記露出ポイントを配置し、その表示を制御する表示制御ステップと、
を含むことを特徴とする画像出力受付方法。
【請求項７】
画像データの入力を制御する入力制御ステップと、
前記画像データの画像ポイントを算出する画像ポイント算出ステップと、
前記画像ポイント算出ステップで算出された前記画像ポイントの高い画像データを抽出して画像リストを作成する画像リスト作成ステップと、
前記画像データおよび前記画像リストをページにレイアウトするレイアウトステップと、
前記画像リスト中の画像データから人物の顔を認識し、人物画像リストを作成する人物画像リスト作成ステップと、
前記人物画像リスト中の人物画像データの、前記ページ上の前記画像データにおける露出ポイントを算出する露出ポイント算出ステップと、
前記レイアウトステップでレイアウトされた前記ページ上に、前記人物画像リストおよび前記露出ポイントを配置し、その表示を制御する表示制御ステップと、
を含む処理をコンピュータに実行させるためのプログラム。
【発明の詳細な説明】
【技術分野】
【０００１】
本発明は、画像データの印刷を行う画像出力受付端末および画像出力受付方法、並びにプログラム等に関するものである。
【背景技術】
【０００２】
近年、利用者が所有する記憶媒体に記憶されている画像データの印刷を行う画像印刷システムが広く普及している。利用者は、画像印刷システムの画像出力受付端末を操作することにより、デジタルカメラ等で撮影した画像を印刷したり、複数の印刷物が製本されたフォトブックを作成することができる。
【０００３】
ところで、卒業アルバムなど、複数の人物が主役のフォトブックを作成する場合、写っている写真の枚数を平等にし、配布する全員が不満に思わないよう大変神経を使って作成しなければならない。不公平感を避けるため、簡単な方法としては、同じショット数となる集合写真ばかりを用いることもできるが、面白みに欠けるフォトブックになってしまう場合も多い。
【０００４】
そこで、例えば、特許文献１には、不公平さを感じ生じさせないアルバム作成装置に関する技術が提案されている。
【先行技術文献】
【特許文献】
【０００５】
【特許文献１】特許２０１０−５７０７３号公報
【発明の概要】
【発明が解決しようとする課題】
【０００６】
特許文献１では、利用者により選択された画像データに含まれている顔画像を抽出し、抽出された顔画像の数を人物別にカウントして登場回数が所定数を超えないようにしている。つまり、アルバム編集のためのレイアウトは、利用者が行っており、レイアウトのために選択した画像データに含まれている顔画像が所定の登場回数を超えた場合に、選択解除を求める警告を表示している。従って、アルバム編集のためのレイアウトは、利用者が行わなければならない課題があった。
【０００７】
本発明は、前述した問題点に鑑みてなされたもので、その目的とすることは、登場人物の露出度が同じになるように自動レイアウトを行うことが可能な画像出力受付端末等を提供することである。
【課題を解決するための手段】
【０００８】
前述した目的を達成するために、第１の発明は、画像データの入力を制御する入力制御手段と、前記画像データの画像ポイントを算出する画像ポイント算出手段と、前記画像ポイント算出手段により算出された前記画像ポイントの高い画像データを抽出して画像リストを作成する画像リスト作成手段と、前記画像データおよび前記画像リストをページにレイアウトするレイアウト手段と、前記画像リスト中の画像データから人物の顔を認識し、人物画像リストを作成する人物画像リスト作成手段と、前記人物画像リスト中の人物画像データの、前記ページ上の前記画像データにおける露出ポイントを算出する露出ポイント算出手段と、前記レイアウト手段によりレイアウトされた前記ページ上に、前記人物画像リストおよび前記露出ポイントを配置し、その表示を制御する表示制御手段と、を備えることを特徴とする画像出力受付端末である。
第１の発明によって、登場人物の露出度が同じになるように自動レイアウトを行うことができる。
【０００９】
前記画像ポイントは、少なくとも、領域ポイントおよび写真ポイントであり、前記露出ポイント算出手段は、前記領域ポイントおよび写真ポイントに所定係数を掛けて、前記露出ポイントを算出する。
これにより、好感度の高い画像をレイアウトすることができる。
【００１０】
前記露出ポイント算出手段は、フォトブックを編集する際に、前記フォトブックの全ページ上の前記画像データにおける露出ポイント、および、前記フォトブックにおいて前記表示制御手段により表示される編集中のページ上の前記画像データにおける露出ポイントを算出し、前記表示制御手段は、前記全ページ上の前記画像データにおける露出ポイント、および、編集中のページ上の前記画像データにおける露出ポイントの表示を制御する。
これにより、利用者は、各ページに満遍なく各登場人物の画像がレイアウトされているか否かを確認することができる。
【００１１】
前記表示制御手段は、人物毎の露出ポイント確認のための個別ポイント確認画面、および、露出度設定のための露出度設定画面の表示をさらに制御する。
これにより、利用者は、人物毎の露出ポイントを容易に確認したり、登場人物毎に目標とする露出度を変更したりすることができる。
【００１２】
前記露出度設定画面において自動調整指示の選択を検知し、選択された人物画像データの露出ポイントを調整する露出ポイント調整手段をさらに備える。
これにより、自動で露出ポイントを調整することができる。
【００１３】
第２の発明は、画像データの入力を制御する入力制御ステップと、前記画像データの画像ポイントを算出する画像ポイント算出ステップと、前記画像ポイント算出ステップで算出された前記画像ポイントの高い画像データを抽出して画像リストを作成する画像リスト作成ステップと、前記画像データおよび前記画像リストをページにレイアウトするレイアウトステップと、前記画像リスト中の画像データから人物の顔を認識し、人物画像リストを作成する人物画像リスト作成ステップと、前記人物画像リスト中の人物画像データの、前記ページ上の前記画像データにおける露出ポイントを算出する露出ポイント算出ステップと、前記レイアウトステップでレイアウトされた前記ページ上に、前記人物画像リストおよび前記露出ポイントを配置し、その表示を制御する表示制御ステップと、を含むことを特徴とする画像出力受付方法である。
第２の発明によって、登場人物の露出度が同じになるように自動レイアウトを行うことができる。
【００１４】
第３の発明は、画像データの入力を制御する入力制御ステップと、前記画像データの画像ポイントを算出する画像ポイント算出ステップと、前記画像ポイント算出ステップで算出された前記画像ポイントの高い画像データを抽出して画像リストを作成する画像リスト作成ステップと、前記画像データおよび前記画像リストをページにレイアウトするレイアウトステップと、前記画像リスト中の画像データから人物の顔を認識し、人物画像リストを作成する人物画像リスト作成ステップと、前記人物画像リスト中の人物画像データの、前記ページ上の前記画像データにおける露出ポイントを算出する露出ポイント算出ステップと、前記レイアウトステップでレイアウトされた前記ページ上に、前記人物画像リストおよび前記露出ポイントを配置し、その表示を制御する表示制御ステップと、を実行させるためのプログラムである。
第３の発明に係るプログラムをコンピュータにインストールすることで、第１の発明に係る画像出力受付端末を得ることができる。
【発明の効果】
【００１５】
本発明により、登場人物の露出度が同じになるように自動レイアウトを行うことが可能な画像出力受付端末、画像出力受付方法、およびプログラムを提供することができる。
【図面の簡単な説明】
【００１６】
【図１】本発明の実施の形態に係る画像出力受付端末の外観斜視図である。
【図２】図２は、画像出力受付端末のハードウエアの構成例を示すブロック図である。
【図３】製本機のハードウエアの構成例を示すブロック図である。
【図４】画像出力受付端末内のコンピュータの機能構成例を示すブロック図である。
【図５】編集部のさらに詳細な機能構成例を示すブロック図である。
【図６】画像出力受付端末の露出調整処理を説明するフローチャートである。
【図７】編集画面の表示例を示す図である。
【図８】個別ポイント確認画面の表示例を示す図である。
【図９】露出度設定画面の表示例を示す図である。
【発明を実施するための形態】
【００１７】
以下、図面に基づいて、本発明の実施形態を詳細に説明する。
【００１８】
［本発明の実施の形態］
図１は、本発明の実施の形態に係る画像出力受付端末１の外観斜視図である。
【００１９】
画像出力受付端末１は、店頭において、入力メディア（記憶媒体）や携帯端末に記憶されている画像データの印刷を受け付け、印刷を行う端末である。画像出力受付端末１は、予め画像データが記憶された入力メディアや携帯端末（いずれも不図示）から画像データを取得し、内部に保持する。
【００２０】
入力メディアは、例えば、DVD-ROM／CD-ROM／CD-R／CD-RW、コンパクトフラッシュ（登録商標）、SD（Secure Digital）カード、ミニSDカード、マイクロSDカード、xD−ピクチャーカード、Smart Media（登録商標）、MEMORY STICK（登録商標）、USB（Universal Serial Bus）メモリ等である。
【００２１】
携帯端末は、例えば、スマートフォン、iPhone（登録商標）、カメラ付き携帯電話機、iPad（登録商標）、携帯型パーソナルコンピュータ等である。通信方法は、例えば、blue
tooth（登録商標）、IR（赤外線通信）等である。
【００２２】
画像出力受付端末１の上部正面には、タッチパネル付ディスプレイ１１が配置されている。タッチパネル付ディスプレイ１１は、操作の案内、操作の状況、読み込んだ画像データ等を表示するとともに、利用者からの指示を受け付ける。利用者は、タッチパネル付ディスプレイ１１を介して、印刷注文する画像データの選択、画像データの画像処理の指示等を行う。
【００２３】
タッチパネル付ディスプレイ１１の下部には、メディア投入口１２および通信口１３が設けられている。メディア投入口１２は、各メディアの挿入口であり、複数の挿入口が１箇所にまとめて配置されている。通信口１３は、各携帯端末と通信を行うための通信ポートであり、複数の通信ポート（赤外線ポートやUSB（Universal Serial Bus）ポートなど）が１箇所にまとめて配置されている。
【００２４】
画像出力受付端末１の下段部の前面板１４には、レシート取出口１５、硬貨投入口１６および紙幣挿入口１７のような料金投入口、つり銭返却口１８、印刷物取出口１９、ドア開閉キー２０、メンテナンスキー２１等が設けられている。
【００２５】
レシート取出口１５、硬貨投入口１６、紙幣挿入口１７、つり銭返却口１８は、利用者による印刷物の注文内容に応じた入金を要求する課金手段として機能する。利用者は、硬貨投入口１６に硬貨を投入したり、紙幣挿入口１７に紙幣を挿入したりすることにより、印刷物の料金を支払う。つり銭がある場合には、つり銭返却口１８から放出される。また、料金徴収後、徴収金額や注文内容等が印刷されたレシートがレシート取出口１５から放出される。
【００２６】
印刷物取出口１９には、画像出力受付端末１の筐体内に設置されるプリンタにより印刷された印刷物が排出される。ドア開閉キー２０は、画像出力受付端末１の前面板１４を開閉するためのキーである。メンテナンスキー２１は、利用者が画像出力受付端末１を利用可能な運転モードと、管理者が画像出力受付端末１のメンテナンスや設定、レシートの再印刷等を行う管理モードを切り替えるためのキーである。
【００２７】
次に、画像出力受付端末１の基本的動作について説明する。
【００２８】
画像出力受付端末１は、入力メディアから読み込んだ画像データを液晶ディスプレイ等のタッチパネル付ディスプレイ１１に表示する。利用者は、タッチパネル付ディスプレイ１１に設けられたタッチパネルにより、入力メディアや携帯端末等から読み込んだ画像の中から印刷注文する画像を選択する。
【００２９】
本実施の形態において、印刷注文の内容には、「通常印刷」と「フォトブック」の２種類がある。「通常印刷」は、熱転写方式などで片面または両面に印画した用紙を出力する（通常の画像印刷を行う）ものである。「フォトブック」は、画像やテキストを熱転写方式などで片面または両面に印画した複数の用紙を用いて製本を行い、製本物を出力（提供）するものである。また特に、「通常印刷」においては、１面に複数の画像印刷を行うものである。
【００３０】
利用者は、タッチパネル付ディスプレイ１１に表示された画面上で、印刷注文する画像を選択した後、印刷の実行を指示すると、画像出力受付端末１内のコンピュータが内部プリンタに画像データを転送する。
【００３１】
画像出力受付端末１は、利用者に印刷物の印刷注文に応じた料金を算出、表示し、必要に応じてレシートプリンタによりレシート（引換券）を発行し、利用者に支払いを要求する。画像出力受付端末１は、課金手段により利用者の入金が完了すると、印刷データの印刷を開始する。印刷された印刷物は、印刷物取出口１９から排出され、利用者に提供される。
【００３２】
また画像出力受付端末１は、「フォトブック」を作成する場合、印刷された印刷物を内部製本機に搬送し、印刷物を所定の製本方法で製本する。製本されたフォトブックは、図示せぬフォトブック取出口から排出され、利用者に提供される。
【００３３】
更に、本発明は、その場で印刷物を受け取る場合に限られず、いわゆる「オンライン製本」にも適用可能である。「オンライン製本」とは、利用者などが所有するコンピュータから同様の手順によって印刷物の発注を行い、業者が印刷物を製本し、郵送によって印刷物を受け取るというものである。本発明を「オンライン製本」に適用する場合、後述する図６に示す処理を実行する為のプログラムを、利用者などが所有する汎用のコンピュータにインストールすることによって同様に実現することができる。すなわち、画像出力受付端末１とは、図６に示す処理を実行する為のプログラムがインストールされた汎用のコンピュータも含むものである。また、後述する図６に示す処理を実行する為のプログラムを、業者が所有するサーバにインストールするようにしても良い。この場合、利用者は、インターネット等のネットワークを介して業者のサーバにアクセスし、インターネット閲覧ソフト等の画面から印刷物の発注を行う。
【００３４】
なお、画像出力受付端末１は、料金算出、レシート（引換券）の発行を行うだけでなく、課金機を装備しているため、利用者に入金を要求して現金による課金処理を行うようにすることもできる。
【００３５】
図２は、画像出力受付端末１のハードウエアの構成例を示すブロック図である。
【００３６】
コンピュータ３０は、制御部３１、記憶部３２、入出力部３３、通信部３４等から構成され、各種メディア読取部４１、通信部４２、シャッタ４３、モニタ４４、コインメック４５、ビルバリ４６、レシートジャーナル処理部４７、およびプリンタ４８、および製本機５０を制御する。
【００３７】
制御部３１は、プログラムの実行を行うCPU（Central processing Unit）と、プログラム命令あるいはデータ等を格納するためのRAM（Random Access Memory）、ROM（Read Only Memory）等で構成される。制御部３１は、記憶部３２等に格納されたプログラムに従って、バス３５を介して接続された各装置を制御する。
【００３８】
記憶部３２には、制御部３１が実行するプログラム、プログラム実行に必要なデータ、OS（Operating System）等が格納される。プログラムは、例えば、画像入力プログラム、課金処理プログラム、レシート印刷処理プログラム、保守プログラム等である。データは、例えば、画像データや印刷データ等である。
【００３９】
プログラムのコードは、制御部３１により必要に応じて読み出され、RAMに移され、CPUに読み出されて各種機能として実行される。
【００４０】
入出力部３３は、記憶部３２に格納されているプログラム等の更新や、画像出力受付端末１の設定等を行うメンテナンス時に用いられる。
【００４１】
通信部３４は、通信制御装置、通信ポート等を有し、画像出力受付端末１と図示せぬネットワーク間の通信を媒介する通信インターフェースである。通信部３４は、ネットワークを介して画像出力受付端末１と他の外部装置間の通信制御を行う。
【００４２】
各種メディア読取部４１は、メディア投入口１２の各メディアの挿入口に対応して画像出力受付端末１内部に設けられ、挿入された入力メディアに予め記憶されている画像データを読み込む。通信部４２は、通信口１３の各通信ポートに対応して設置されており、通信中の携帯端末に予め記憶されている画像データを読み込む。
【００４３】
シャッタ４３は、メディア投入口１２の各挿入口に設けられ、入力メディアの挿入口を開閉し、読取処理の最中や、課金処理が完了するまで、入力メディアを取り出せないようにする。モニタ４４は、タッチパネル付ディスプレイ１１である。
【００４４】
コインメック４５、ビルバリ４６、レシートジャーナル処理部４７は、課金機能の役割を果たす。コインメック４５は、硬貨投入口１６に対応して画像出力受付端末１内部に設けられ、硬貨の入出力を管理する。ビルバリ４６は、紙幣挿入口１７に対応して画像出力受付端末１内部に設けられ、紙幣の入出力を管理する。
【００４５】
レシートジャーナル処理部４７は、レシート取出口１５に対応して画像出力受付端末１内部に設けられ、利用者の徴収金額や注文内容に応じたレシートを印刷する。
【００４６】
プリンタ４８は、印刷物取出口１９に対応して画像出力受付端末１内部に設けられ、印刷物を印刷する。プリンタ４８は、画像データを印刷する高解像度カラープリンタであり、熱転写プリンタあるいはインクジェット型など、プリンタの方式は特に問わない。印刷を行うべく紙は、シート状またはロール状である。
【００４７】
製本機５０は、ローラや搬送路等を有し、プリンタ４８で印刷された印刷物を所定の製本方法で製本しフォトブック等の製本物を作成して出力する。
【００４８】
なお、プリンタ４８は、画像出力受付端末１内部に設けられ、そこで印刷が行われるが、これに限らず、例えば、通信部３４およびネットワークを介して接続されたプリンタサーバに画像データを転送し、そこで印刷を行わせることも勿論可能である。また、製本機５０も、画像出力受付端末１内部に設けられ、そこで製本が行われるが、これに限らず、例えば、図示せぬ搬送路を介して接続された外部の製本機に印刷物を搬送し、そこで製本を行わせるようにしてもよい。すなわち、画像出力受付端末１と、プリンタ４８、製本機５０はそれぞれ別体であってもよい。
【００４９】
図３は、製本機５０のハードウエアの構成例を示すブロック図である。
【００５０】
製本機５０は、印刷物を折りたたむ折り機構５１、印刷物をホチキスや製本テープ、背表紙、糊等で綴じる綴じ機構５２、印刷物を化粧断裁する裁断機構５３等を備えるものを用いることができる。これらの機構としては、既知のものを使用できる。フォトブックの製本方法の詳細については、特開２０１０−１３７５６４号公報等に記載されている通り公知の技術である。
【００５１】
図４は、画像出力受付端末１内のコンピュータ３０の機能構成例を示すブロック図である。図４に示す機能部のうちの少なくとも一部は、図２の制御部３１により画像印刷プログラムが実行されることによって実現される。
【００５２】
入力制御部６１は、各種メディア読取部４１で読み込まれた画像データや通信部４２で読み込まれた画像データの入力を制御する。
【００５３】
なお、画像入力手段としては、メディア投入口１２にメモリカードを挿入し、そこからデータを読み込む以外にも、以下の２つの方法がある。
１．インターネットを介して、オンラインアルバムサーバから読み込む。
２．インターネットを介して、オンラインアルバムサーバからスマートフォン等の携帯端末がダウンロードし、更に、近距離通信によって、スマートフォン等から読み込む。
【００５４】
表示制御部６２は、入力制御部６１に入力された画像データの一覧表示画面、画像データの印刷サービスを利用者に提供するための画像出力サービス案内画面等の各種画面のモニタ４４上への表示を制御する。
【００５５】
画像受付部６３は、モニタ４４に表示されている画像データの一覧表示画面において、利用者による画像の選択を受け付ける。
【００５６】
編集部６４は、利用者により印刷する画像の編集が行われた場合、入力制御部６１に入力された編集内容を表わす入力データに基づいて、印刷情報を更新（編集）する。編集部６４のさらに詳細な機能構成例は、図５を参照して後述する。
【００５７】
課金部６５は、印刷注文に応じた料金を算出し、その算出結果をモニタ４４に表示させ、利用者に支払いを要求する。また課金部６５は、コインメック４５やビルバリ４６の金銭の入出力を管理する。
【００５８】
印刷実行部６６は、課金部６５によって課金処理が完了すると、印刷対象の画像データを所定位置に配した後、印刷データに変換し、印刷データの印刷を実行する。
【００５９】
図５は、編集部６４のさらに詳細な機能構成例を示すブロック図である。
【００６０】
画像ポイント算出部７１は、入力制御部６１に入力された画像データの画像ポイントを算出する。画像ポイントには、登場ポイント、領域ポイント、笑顔ポイント、および写真ポイントがある。登場ポイントは、公知の顔認識技術を用いて、入力された画像データ中の人物（顔画像）を抽出し、人物毎の登場回数をポイント化したものである。領域ポイントは、公知の顔認識技術を用いて、画像データ中の顔の大きさ（領域）を抽出し、人物毎の全画像領域における顔の大きさの割合をポイント化したものである。笑顔ポイントは、公知の笑顔認識技術を用いて、画像データ中の人物が笑顔かどうかを認識し、どのくらい笑っているかをポイント化したものである。写真ポイントは、顔領域にピントが合っていることでよく撮れた画像中の人物毎の登場回数をポイント化したものである。
【００６１】
つまり、画像ポイント算出部７１は、公知の技術を用いて、登場ポイント、領域ポイント、笑顔ポイント、および写真ポイントを算出する。
【００６２】
画像リスト作成部７２は、画像ポイント算出部７１で算出された画像ポイントの高い画像データを抽出し、画像リストを作成する。画像データの抽出方法は、所定の閾値以上の画像ポイントを有する画像データを抽出したり、あるいは、画像ポイントの高い順に所定枚数の画像データを抽出したりしてもよく、特に問わない。
【００６３】
登場人物リスト作成部７３は、画像リスト作成部７２で作成された画像リストの中から人物の顔を認識し、人物画像リストを作成する。
【００６４】
自動レイアウト部７４は、所定の自動レイアウト方法に基づいて、画像リスト作成部７２で作成された画像リスト、登場人物リスト作成部７３で作成された人物画像リスト、および画像群を自動レイアウトする。自動レイアウト方法は、例えば、フォトブックに掲載する写真枚数やレイアウト枠が予め指定されている状態で、ほぼ同じ位の大きさで、かつ、ピントが合っている顔領域を有する画像が複数存在する場合、集合写真を優先的に大きい枠に配置したり、笑顔ポイントや写真ポイントの高い人物が登場する画像を優先して配置したり、登場人物の露出度が同じになるようにする。
【００６５】
人物リスト登録部７５は、編集画面（図７）に表示された人物画像リストにおいて、利用者による人物名の登録を受け付ける。
【００６６】
露出ポイント算出部７６は、自動レイアウト部７４によりレイアウトされた状態で、人物毎の露出ポイントを算出する。具体的には、次式（１）に示すように、レイアウト後の画像データの拡大・縮小サイズにより、元の画像データ上で算出された画像ポイントに任意の係数をかけて露出ポイントを算出する。なお、係数ａ、ｂ、ｃ、ｄは、調整係数であり、利用者が任意に調整可能である。
露出ポイント＝（ａ×領域ポイント）＋（ｂ×写真ポイント）＋（ｃ×笑顔ポイント）＋（ｄ×登場ポイント）      ・・・（１）
【００６７】
つまり、露出ポイントとは、領域ポイント、写真ポイント、笑顔ポイント、登場ポイントに所定の調整係数が掛けられたものである。
【００６８】
露出度調整部７７は、編集画面（図７）に表示された登場人物毎の露出度を、所定の調整方法に基づいて自動調整したり、利用者による調整指示に基づいて調整したりする。露出度とは、登場人物毎の全ページにおける登場割合である。
【００６９】
通常編集部７８は、編集画面（図７）にレイアウトされた状態で、利用者による通常の編集の指示を受け付ける。
【００７０】
次に図６のフローチャートを参照して、画像出力受付端末１の処理について説明する。この処理は、利用者により選択された画像入力方法で、画像出力受付端末１の入力制御部６１に画像データが入力された場合に開始される。
【００７１】
ステップＳ１において、画像出力受付端末１の画像ポイント算出部７１は、入力制御部６１に入力された画像データの画像ポイント（登場ポイント、領域ポイント、笑顔ポイント、および写真ポイント）を算出する。画像出力受付端末１の画像リスト作成部７２は、画像ポイント算出部７１で算出された画像ポイントの高い画像データを抽出する。
【００７２】
ステップＳ２において、画像出力受付端末１の画像リスト作成部７２は、ステップＳ１の処理で抽出された画像データを用いて画像リストを作成する。
【００７３】
ステップＳ３において、自動レイアウト部７４は、所定のレイアウト方法に基づいて、ステップＳ２の処理で作成された画像リスト、および画像群を自動レイアウトする。自動レイアウト方法は、前述したように、予め指定された写真枚数を掲載するレイアウト枠に、集合写真を優先的に大きい枠に配置したり、笑顔ポイントや写真ポイントの高い人物が登場する画像を優先して配置したり、登場人物の露出度が同じになるようにする。
【００７４】
ステップＳ４において、画像出力受付端末１の表示制御部６２は、登場人物の露出調整を行った後で通常の編集を行うか、露出調整を行わずそのまま通常の編集を行うかを選択するための選択画面（図示せず）をタッチパネル付ディスプレイ１１（モニタ４４）に表示する。そして、画像出力受付端末１の編集部６４は、利用者により、選択画面で登場人物の露出調整を行う編集方法が選択されたことを検知すると、ステップＳ５に進む。
【００７５】
ステップＳ５において、画像出力受付端末１の登場人物リスト作成部７３は、ステップＳ２の処理で作成された画像リスト中の画像データから人物の顔を認識する。ステップＳ６において、画像出力受付端末１の登場人物リスト作成部７３は、ステップＳ５の処理で認識された顔画像データを用いて人物画像リストを作成する。
【００７６】
ステップＳ７において、画像出力受付端末１の表示制御部６２は、人物画像リスト画面（図示せず）をタッチパネル付ディスプレイ１１（モニタ４４）に表示する。そして画像出力受付端末１の人物リスト登録部７５は、利用者により、人物画像リスト画面で所定の人物画像が選択され、人物名の登録が行われたことを検知すると、人物リストを更新する。人物リスト更新後、画像出力受付端末１の表示制御部６２は、人物リスト登録結果の確認画面（図示せず）をタッチパネル付ディスプレイ１１（モニタ４４）に表示する。利用者は、人物リスト登録結果の確認画面を確認して、確認ボタン（図示せず）等を選択し、人物リストの確認が完了したことを指示することができる。そして、画像出力受付端末１の人物リスト登録部７５は、利用者により、人物画像リスト画面で所定の人物画像が選択され、人物名の登録が行われたことを検知すると、ステップＳ８に進む。
【００７７】
ステップＳ８において、画像出力受付端末１の露出ポイント算出部７６は、ステップＳ３の処理で自動レイアウトされた状態で、ステップＳ６、Ｓ７の処理でリストアップされた人物画像データの露出ポイントを、上記式（１）に従って算出する。
【００７８】
ステップＳ９において、画像出力受付端末１の表示制御部６２は、タッチパネル付ディスプレイ１１（モニタ４４）に編集画面を表示する。
【００７９】
図７は、編集画面１００の表示例を示す図である。
【００８０】
図７に示すように、編集画面１００には、ステップＳ２の処理で作成された画像リスト１０１、ステップＳ６、Ｓ７の処理で作成された人物画像リスト１０２、ステップＳ３の処理で自動レイアウトされたフォトブックの見開き１ページ分の現在編集中のレイアウト１０３、レイアウト１０３にレイアウトされている画像データのサムネイル画像のレイアウトリスト１０４が表示されている。
【００８１】
画像リスト１０１には、４枚の画像データのサムネイル画像が表示されている。画像リスト１０１の上下に配置されたボタン１０５Ｕ、１０５Ｄは、画像リスト中の他の画像データのサムネイル画像を表示する場合に、利用者によって押下（選択）される。
【００８２】
人物画像リスト１０２には、「あらたくん」の名前が付された人物画像Ｐ１、「だいごくん」の名前が付された人物画像Ｐ２、「ななちゃん」の名前が付された人物画像Ｐ３、「けいちゃん」の名前が付された人物画像Ｐ４、「りきくん」の名前が付された人物画像Ｐ５が表示されている。各人物画像Ｐ１〜Ｐ５の下方には、現在の露出ポイントが２段組みで表示されている。上段の露出ポイントは、フォトブックの全ページの合計露出ポイントを示し、下段の露出ポイントは、現在編集中の見開き１ページ分のみの露出ポイントを示している。人物画像リスト１０２の左右に配置されたボタン１０６Ｒ、１０６Ｌは、人物画像リスト中の他の人物画像を表示する場合に、利用者によって押下される。
【００８３】
レイアウト１０３には、見開き１ページ分のレイアウト枠に画像データが自動レイアウトされた現在編集中のページが表示されている。レイアウト１０３の左右に配置されたボタン１０７Ｒ、１０７Ｌは、前後の見開き１ページ分のレイアウトを表示する場合に、利用者によって押下される。またレイアウト１０３上には、登場人物の顔認識領域を示すマーク１０８、１０９が表示されている。マーク１０８、１０９は、人物毎に異なる図形や色等が用いられる。
【００８４】
また編集画面１００には、個別ポイント確認ボタン１１０および露出度設定ボタン１１１も表示されている。個別ポイント確認ボタン１１０は、個別ポイント確認画面１２０（図８）を表示する場合に、利用者によって押下される。露出度設定ボタン１１１は、露出度設定画面１４０（図９）を表示する場合に、利用者によって押下される。
【００８５】
利用者は、図７に示す編集画面１００において、人物画像Ｐ１〜Ｐ５の下方に表示された２段組みの露出ポイントを確認することで、各ページに満遍なく各登場人物の画像がレイアウトされているか否かを確認することができる。
【００８６】
また利用者は、図７に示す編集画面１００において、レイアウト１０３に配置済みの画像を画像リスト１０１の中にある画像と交換したり、あるいは、拡大・縮小してサイズ調整したりして露出ポイントを手動で変更することができる。
【００８７】
図６の説明に戻る。ステップＳ１０において、画像出力受付端末１の編集部６４は、利用者により、図７に示す編集画面１００で、個別ポイント確認ボタン１１０または露出度設定ボタン１１１が選択されたことを検知したか否かを判定し、いずれかのボタンの選択を検知すると、ステップＳ１１に進む。
【００８８】
ステップＳ１１において、画像出力受付端末１の表示制御部６２は、タッチパネル付ディスプレイ１１（モニタ４４）に個別ポイント確認画面または露出度設定画面を表示する。
【００８９】
まず、個別ポイント確認画面の表示例について説明する。例えば、利用者により、編集画面１００において、人物画像リスト１０２の中から「あらたくん」の名前が付された人物画像Ｐ１が選択され、個別ポイント確認ボタン１１０が押下されると、画像出力受付端末１の表示制御部６２は、タッチパネル付ディスプレイ１１（モニタ４４）に個別ポイント確認画面を表示する。
【００９０】
図８は、個別ポイント確認画面１２０の表示例を示す図である。
【００９１】
図８に示すように、個別ポイント確認画面１２０には、「あらたくん」の名前が付された人物画像Ｐ１、人物画像Ｐ１の露出ポイントの詳細を示すポイント群１２１、配置済みの登録画像リスト１２２、未配置の登録画像リスト１２３、読込画像リスト１２４が表示されている。
【００９２】
配置済みの登録画像リスト１２２は、「あらたくん」の名前が付された人物画像Ｐ１として認識されている画像データであって、フォトブックのいずれかのページに配置済みの画像データのリストである。配置済みの登録画像リスト１２２には、３枚の画像データのサムネイル画像が表示されている。配置済みの登録画像リスト１２２の左右に配置されたボタン１２５Ｒ、１２５Ｌは、配置済みの他の画像データのサムネイル画像を表示する場合に、利用者によって押下される。
【００９３】
未配置の登録画像リスト１２３は、「あらたくん」の名前が付された人物画像Ｐ１として認識されている画像データであって、フォトブックのいずれのページにも配置されていない画像データのリストである。未配置の登録画像リスト１２３には、３枚の画像データのサムネイル画像が表示されている。未配置の登録画像リスト１２３の左右に配置されたボタン１２６Ｒ、１２６Ｌは、未配置の他の画像データのサムネイル画像を表示する場合に、利用者によって押下される。
【００９４】
読込画像リスト１２４は、「あらたくん」の名前が付された人物画像Ｐ１として認識されていない画像データのリストである。読込画像リスト１２４には、３枚の画像データのサムネイル画像が表示されている。読込画像リスト１２４の左右に配置されたボタン１２７Ｒ、１２７Ｌは、他の画像データのサムネイル画像を表示する場合に、利用者によって押下される。
【００９５】
未配置の登録画像リスト１２３の上方に配置された追加ボタン１２８は、未配置の登録画像リスト１２３の中から所望の画像を追加配置したい場合に、利用者によって押下される。読込画像リスト１２４の上方に配置された追加ボタン１２９は、読込画像リスト１２４の中から所望の画像を追加配置したい場合に、利用者によって押下される。
【００９６】
配置済の登録画像リスト１２２、未配置の登録画像リスト１２３のサムネイル画像上には、「あらたくん」の名前が付された人物画像Ｐ１の顔認識領域を示すマーク１３０が表示されている。
【００９７】
また個別ポイント確認画面１２０には、戻るボタン１３１も表示されている。戻るボタン１３１は、編集画面１００（図７）に戻る場合に、利用者によって押下される。
【００９８】
利用者は、図８に示す個別ポイント確認画面１２０において、「あらたくん」の名前が付された人物画像Ｐ１の露出ポイントの詳細を確認することができる。
【００９９】
また、利用者は、未配置の登録画像リスト１２３の中から、所望のサムネイル画像を選択し、追加ボタン１２８を押下することで、その画像が配置済みの登録画像リスト１２２に追加される。同様に、利用者は、読込画像リスト１２４の中から、認識されていない「あらたくん」の顔画像を有する画像を選択し、追加ボタン１２９を押下することで、その画像がフォトブックに配置済みであれば配置済みの登録画像リスト１２２に追加され、未配置であれば未配置の登録画像リスト１２３に追加される。このような操作によって、画像出力受付端末１の自動レイアウト部７４は、編集画面１００のレイアウト情報を更新し、露出ポイント算出部７６は、露出ポイントを再計算する。
【０１００】
次に、露出度設定画面の表示例について説明する。例えば、利用者により、編集画面１００において、露出度設定ボタン１１１が押下されると、画像出力受付端末１の表示制御部６２は、タッチパネル付ディスプレイ１１（モニタ４４）に露出度設定画面を表示する。
【０１０１】
図９は、露出度設定画面１４０の表示例を示す図である。
【０１０２】
図９に示すように、露出度設定画面１４０には、編集画面１００の人物画像リスト１０２とリンクされた人物画像リスト１４１が表示されている。人物画像リスト１４１には、「あらたくん」の名前が付された人物画像Ｐ１、「だいごくん」の名前が付された人物画像Ｐ２、「ななちゃん」の名前が付された人物画像Ｐ３、「けいちゃん」の名前が付された人物画像Ｐ４、「りきくん」の名前が付された人物画像Ｐ５が表示されている。各人物画像Ｐ１〜Ｐ５の下方には、フォトブックの全ページの合計露出ポイントが表示されている。図９の例では、「７０ポイント」が太字で示され、「３０ポイント」が白抜き文字で示され、露出ポイントが多い・少ないが警告表示されている。なお、警告の表示方法は、これに限らず、利用者が視認可能なフォント、色、またはデザイン等を用いることができる。
【０１０３】
さらに各露出ポイントの下方には、登場人物毎に目標とする露出度（全ページにおける登場割合）を変更するための露出度設定部（図９の例では、２０％）が表示されている。露出度設定部は、図示せぬプルダウンメニューによって選択式で数値を入力したり、あるいは、図示せぬソフトウェアキーボードを表示して直接数値を入力したりすることができる。人物画像リスト１４１の左右に配置されたボタン１４２Ｒ、１４２Ｌは、人物画像リスト１４１中の他の人物画像を表示する場合に、利用者によって押下される。
【０１０４】
また露出度設定画面１４０には、自動調整ボタン１４３および戻るボタン１４４も表示されている。自動調整ボタン１４３は、露出ポイントを自動調整する場合に、利用者によって押下される。戻るボタン１４４は、編集画面１００（図７）に戻る場合に、利用者によって押下される。
【０１０５】
利用者は、図９に示す露出度設定画面１４０において、露出度設定部（数字）を変更することで、目標とする露出度を手動で調整することができる。具体的には、例えば、現在、すべての登場人物の目標値が「２０％」であるが、「あらたくん」の人物画像の露出度を他の登場人物の２倍に設定したい場合、利用者が「あらたくん」の人物画像Ｐ１の下方の露出度設定部を「３３％」に手動で変更することで、画像出力受付端末１の露出度調整部７７は、他の人物画像の露出度を「１６．６％」に変更する。画像出力受付端末１の露出ポイント算出部７６は、その利用者の変更指示を検知し、露出ポイントを再計算する。
【０１０６】
また、利用者は、図９に示す露出度設定画面１４０において、人物画像リスト１４１の中から１人または複数の人物画像を選択し、自動調整ボタン１４３を押下することで、露出ポイントを自動で調整することができる。具体的には、例えば、露出ポイントの高い「だいごくん」の名前が付された人物画像Ｐ２が選択され、自動調整ボタン１４３が押下された場合、画像出力受付端末１の露出ポイント算出部７６は、「だいごくん」の人物画像の露出ポイントが低くなるように、フォトブックに配置済みの画像を交換したり、あるいは、サイズ調整したりして露出ポイントを再計算することができる。
【０１０７】
以上のような操作によって、画像出力受付端末１の自動レイアウト部７４は、編集画面１００のレイアウト情報を更新する。
【０１０８】
図６の説明に戻る。ステップＳ１２において、画像出力受付端末１の露出度調整部７７は、利用者により、露出度設定画面１４０（図９）で自動調整ボタン１４３が選択されたことを検知すると、ステップＳ１３に進み、上述したようにして指定された登場人物の露出ポイントの自動調整を行う。
【０１０９】
ステップＳ１２において、画像出力受付端末１の露出度調整部７７は、利用者により、露出度設定画面１４０（図９）で自動調整ボタン１４３が選択されたことを検知できず、個別ポイント確認画面１２０または露出度設定画面１４０の表示が所定時間経過したと判定した場合には、ステップＳ９に戻り、上述した処理を繰り返し実行する。なお、ステップＳ１２の処理では、個別ポイント確認画面１２０の戻るボタン１３１、または露出度設定画面１４０の戻るボタン１４４が押下された場合にも、ステップＳ９に戻る。
【０１１０】
ステップＳ１０において、画像出力受付端末１の編集部６４は、利用者により、図７に示す編集画面１００で、個別ポイント確認ボタン１１０または露出度設定ボタン１１１が選択されたことを検知できず、編集画面１００の表示が所定時間経過したと判定した場合には、ステップＳ１４に進む。また、ステップＳ４において、画像出力受付端末１の表示制御部６２は、露出調整を行わずそのまま通常の編集を行う編集方法が選択されたことを検知した場合にも、ステップＳ１４に進む。
【０１１１】
ステップＳ１４において、画像出力受付端末１の表示制御部６２は、タッチパネル付ディスプレイ１１（モニタ４４）に通常の編集画面（図示せず）を表示し、画像出力受付端末１の通常編集部７８は、利用者からの指示に基づいて通常のフォトブック編集を行う。
【０１１２】
以上のようなフォトブックの登場人物の露出調整を含む編集作業を行った後、利用者によって、印刷実行が指示されると、画像出力受付端末１の印刷実行部６８は、印刷対象のレイアウトデータを印刷データに変換し、印刷データをプリンタ４８に送信し、印刷を指示する。印刷された印刷物は、製本機５０に搬送され、所定の製本方法で製本され、図示せぬフォトブック取出口から排出され、フォトブックとして利用者に提供される。
【０１１３】
更に、前述したように、本発明は、その場で印刷物を受け取る場合に限られず、「オンライン製本」にも適用可能である。「オンライン製本」の場合、利用者が、自宅などに設置されているコンピュータから同様の手順によって印刷物の発注を行い、業者が印刷物を製本し、郵送によって印刷物が提供される。
【０１１４】
［発明の実施の形態における効果］
１．複数の人物が登場する写真集で、同じ満足感を与えるという目的を守りながら簡単にフォトブックの編集を行うことが可能となる。
２．卒業アルバムというニーズがありながら難しい複数人主役の編集作業をアシストし、誰でも簡単に登場人物の露出度を制御しながら編集作業ができる。
３．笑顔や顔にピントが合っているといった写真の対象人物の画像ポイントを考慮することにより、ただ同じ枚数の写真をレイアウトするという機械的なつじつまあわせでない、満足感を平等に感じさせる写真集を作ることができる。
【０１１５】
［変形例］
本実施の形態を用いて、アイドルグループの写真集フォトブックを作成することができる。具体的には、オンデマンドフォトブック作成サービスを利用して、用意されたタレントの画像の中から好きな画像を自分で配置して自分だけのオリジナル写真集を買うサービスがあるが、人数の多いグループの場合、全員の露出度を自力で調整するのは難しい。しかしながら、上述したような露出調整処理を用いることで、人数の多いグループの場合でも、多くの画像の中から、Ａさん４０％、Ｂさん４０％、その他のメンバー２０％となるように画像の自動配置を行い、自分好みの写真集フォトブックを作成することができる。
【０１１６】
以上、添付図面を参照しながら、本発明に係る画像出力受付端末等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１１７】
１………画像出力受付端末
１１………タッチパネル付ディスプレイ
６１………入力制御部
６２………表示制御部
６３………画像受付部
６４………編集部
７１………画像ポイント算出部
７２………画像リスト作成部
７３………登場人物リスト作成部
７４………自動レイアウト部
７５………人物リスト登録部
７６………露出ポイント算出部
７７………露出度調整部
【図１】
0005838752.tif 000002
【図２】
0005838752.tif 000003
【図３】
0005838752.tif 000004
【図４】
0005838752.tif 000005
【図５】
0005838752.tif 000006
【図６】
0005838752.tif 000007
【図７】
0005838752.tif 000008
【図８】
0005838752.tif 000009
【図９】
0005838752.tif 000010